(57)【特許請求の範囲】
【請求項１】
入力された映像データから、所定量ごとの前記映像データのそれぞれを用いて生成されたサーチ用映像データと、そのサーチ用映像データの生成に用いられた映像データに対して所定の編集処理が施されているかどうかを示す編集情報とを関連付けて記録する記録手段と、
前記サーチ用映像データに対応する編集情報に基づいて、そのサーチ用映像データの生成に用いられた映像データに前記編集処理が施されているかを識別する識別手段と、
前記映像データのシーンごとに、そのシーンに含まれる映像データを用いて生成された前記サーチ用映像データに基づいて、サーチ用映像を表示するように制御する表示制御手段と
を備え、
前記表示制御手段は、前記識別手段により前記サーチ用映像データの生成に用いられた映像データに前記編集処理が施されていると識別された場合、そのサーチ用映像データの生成に用いられた映像データの属するシーンについて、そのサーチ映像データに基づいて前記サーチ用映像を表示せずに、そのシーンに含まれる前記編集処理が施されていない映像データにより生成されたサーチ用映像データに基づいて前記サーチ用映像を表示するように制御する
ことを特徴とする記録再生装置。
【請求項２】
入力された映像データから、所定量ごとの前記映像データのそれぞれを用いて生成されたサーチ用映像データと、そのサーチ用映像データの生成に用いられた映像データに対して所定の編集処理が施されているかどうかを示す編集情報とを関連付けて記録させる記録制御ステップと、
前記サーチ用映像データに対応する編集情報に基づいて、そのサーチ用映像データの生成に用いられた映像データに前記編集処理が施されているかを識別する識別ステップと、
前記映像データのシーンごとに、そのシーンに含まれる映像データを用いて生成された前記サーチ用映像データに基づいて、サーチ用映像を表示するように制御する表示制御ステップと
を含み、
前記表示制御ステップの処理は、前記識別ステップの処理により前記サーチ用映像データの生成に用いられた映像データに前記編集処理が施されていると識別された場合、そのサーチ用映像データの生成に用いられた映像データの属するシーンについて、そのサーチ映像データに基づいて前記サーチ用映像を表示せずに、そのシーンに含まれる前記編集処理が施されていない映像データにより生成されたサーチ用映像データに基づいて前記サーチ用映像を表示するように制御する
ことを特徴とする記録再生方法。
【請求項３】
入力された映像データから、所定量ごとの前記映像データのそれぞれを用いて生成されたサーチ用映像データと、そのサーチ用映像データの生成に用いられた映像データに対して所定の編集処理が施されているかどうかを示す編集情報とを関連付けて記録させる記録制御ステップと、
前記サーチ用映像データに対応する編集情報に基づいて、そのサーチ用映像データの生成に用いられた映像データに前記編集処理が施されているかを識別する識別ステップと、
前記映像データのシーンごとに、そのシーンに含まれる映像データを用いて生成された前記サーチ用映像データに基づいて、サーチ用映像を表示するように制御する表示制御ステップと
を含み、
前記表示制御ステップの処理は、前記識別ステップの処理により前記サーチ用映像データの生成に用いられた映像データに前記編集処理が施されていると識別された場合、そのサーチ用映像データの生成に用いられた映像データの属するシーンについて、そのサーチ映像データに基づいて前記サーチ用映像を表示せずに、そのシーンに含まれる前記編集処理が施されていない映像データにより生成されたサーチ用映像データに基づいて前記サーチ用映像を表示するように制御する
ことを特徴とするコンピュータが読み取り可能なプログラムが記録されている記録媒体。
【請求項４】
入力された映像データから、所定量ごとの前記映像データのそれぞれを用いて生成されたサーチ用映像データと、そのサーチ用映像データの生成に用いられた映像データに対して所定の編集処理が施されているかどうかを示す編集情報とを関連付けて記録させる記録制御ステップと、
前記サーチ用映像データに対応する編集情報に基づいて、そのサーチ用映像データの生成に用いられた映像データに前記編集処理が施されているかを識別する識別ステップと、
前記映像データのシーンごとに、そのシーンに含まれる映像データを用いて生成された前記サーチ用映像データに基づいて、サーチ用映像を表示するように制御する表示制御ステップと
を含み、
前記表示制御ステップの処理は、前記識別ステップの処理により前記サーチ用映像データの生成に用いられた映像データに前記編集処理が施されていると識別された場合、そのサーチ用映像データの生成に用いられた映像データの属するシーンについて、そのサーチ映像データに基づいて前記サーチ用映像を表示せずに、そのシーンに含まれる前記編集処理が施されていない映像データにより生成されたサーチ用映像データに基づいて前記サーチ用映像を表示するように制御する
処理をコンピュータに実行させることを特徴とするプログラム。
【発明の詳細な説明】
【０００１】
【発明の属する技術分野】
本発明は、記録再生装置および方法、記録媒体、並びにプログラムに関し、特に、適切なサーチ用映像を表示させることができるようにした、記録再生装置および方法、記録媒体、並びにプログラムに関する。
【０００２】
【従来の技術】
例えば、デジタルビデオテープレコーダには、ユーザが磁気テープに録画された映像を容易に検索できるように、録画された映像の一部をサーチ用の映像として表示する機能が設けられている。
【０００３】
【発明が解決しようとする課題】
しかしながら、このサーチ用の映像は、録画される映像の、例えば、先頭のフレームから生成されるので、映像を表示上の効果を付加して録画する場合（いわゆるフェード機能を利用して録画する場合）、サーチ用の映像が、真っ白または真っ黒な映像となることがあり、この場合、その真っ白または真っ黒な映像（意味のない画像）がサーチ用の映像として表示される。従って、従来においては、フェード機能を利用して録画した場合、ユーザは、そのサーチ用の映像を利用して、録画した映像の内容を把握することができない課題があった。
【０００４】
本発明はこのような状況に鑑みてなされたものであり、フェード機能を利用して録画しても、録画した映像の内容を表すサーチ用映像を表示させるようにするものである。
【０００５】
【課題を解決するための手段】
本発明の記録再生装置は、入力された映像データから、所定量ごとの映像データのそれぞれを用いて生成されたサーチ用映像データと、そのサーチ用映像データの生成に用いられた映像データに対して所定の編集処理が施されているかどうかを示す編集情報とを関連付けて記録する記録手段と、サーチ用映像データに対応する編集情報に基づいて、そのサーチ用映像データの生成に用いられた映像データに編集処理が施されているかを識別する識別手段と、映像データのシーンごとに、そのシーンに含まれる映像データを用いて生成されたサーチ用映像データに基づいて、サーチ用映像を表示するように制御する表示制御手段とを備え、表示制御手段は、識別手段によりサーチ用映像データの生成に用いられた映像データに編集処理が施されていると識別された場合、そのサーチ用映像データの生成に用いられた映像データの属するシーンについて、そのサーチ映像データに基づいてサーチ用映像を表示せずに、そのシーンに含まれる編集処理が施されていない映像データにより生成されたサーチ用映像データに基づいてサーチ用映像を表示するように制御することを特徴とする。
【０００７】
本発明の記録再生方法は、入力された映像データから、所定量ごとの映像データのそれぞれを用いて生成されたサーチ用映像データと、そのサーチ用映像データの生成に用いられた映像データに対して所定の編集処理が施されているかどうかを示す編集情報とを関連付けて記録させる記録制御ステップと、サーチ用映像データに対応する編集情報に基づいて、そのサーチ用映像データの生成に用いられた映像データに編集処理が施されているかを識別する識別ステップと、映像データのシーンごとに、そのシーンに含まれる映像データを用いて生成されたサーチ用映像データに基づいて、サーチ用映像を表示するように制御する表示制御ステップとを含み、表示制御ステップの処理は、識別ステップの処理によりサーチ用映像データの生成に用いられた映像データに編集処理が施されていると識別された場合、そのサーチ用映像データの生成に用いられた映像データの属するシーンについて、そのサーチ映像データに基づいてサーチ用映像を表示せずに、そのシーンに含まれる編集処理が施されていない映像データにより生成されたサーチ用映像データに基づいてサーチ用映像を表示するように制御することを特徴とする。
【０００８】
本発明の記録媒体のプログラムは、入力された映像データから、所定量ごとの映像データのそれぞれを用いて生成されたサーチ用映像データと、そのサーチ用映像データの生成に用いられた映像データに対して所定の編集処理が施されているかどうかを示す編集情報とを関連付けて記録させる記録制御ステップと、サーチ用映像データに対応する編集情報に基づいて、そのサーチ用映像データの生成に用いられた映像データに編集処理が施されているかを識別する識別ステップと、映像データのシーンごとに、そのシーンに含まれる映像データを用いて生成されたサーチ用映像データに基づいて、サーチ用映像を表示するように制御する表示制御ステップとを含み、表示制御ステップの処理は、識別ステップの処理によりサーチ用映像データの生成に用いられた映像データに編集処理が施されていると識別された場合、そのサーチ用映像データの生成に用いられた映像データの属するシーンについて、そのサーチ映像データに基づいてサーチ用映像を表示せずに、そのシーンに含まれる編集処理が施されていない映像データにより生成されたサーチ用映像データに基づいてサーチ用映像を表示するように制御することを特徴とする。
【０００９】
本発明のプログラムは、入力された映像データから、所定量ごとの映像データのそれぞれを用いて生成されたサーチ用映像データと、そのサーチ用映像データの生成に用いられた映像データに対して所定の編集処理が施されているかどうかを示す編集情報とを関連付けて記録させる記録制御ステップと、サーチ用映像データに対応する編集情報に基づいて、そのサーチ用映像データの生成に用いられた映像データに編集処理が施されているかを識別する識別ステップと、映像データのシーンごとに、そのシーンに含まれる映像データを用いて生成されたサーチ用映像データに基づいて、サーチ用映像を表示するように制御する表示制御ステップとを含み、表示制御ステップの処理は、識別ステップの処理によりサーチ用映像データの生成に用いられた映像データに編集処理が施されていると識別された場合、そのサーチ用映像データの生成に用いられた映像データの属するシーンについて、そのサーチ映像データに基づいてサーチ用映像を表示せずに、そのシーンに含まれる編集処理が施されていない映像データにより生成されたサーチ用映像データに基づいてサーチ用映像を表示するように制御する処理をコンピュータに実行させることを特徴とする。
【００１０】
本発明の記録再生装置および方法、並びにプログラムにおいては、入力された映像データから、所定量ごとの映像データのそれぞれを用いて生成されたサーチ用映像データと、そのサーチ用映像データの生成に用いられた映像データに対して所定の編集処理が施されているかどうかを示す編集情報とが関連付けて記録され、サーチ用映像データに対応する編集情報に基づいて、そのサーチ用映像データの生成に用いられた映像データに編集処理が施されているかが識別され、映像データのシーンごとに、そのシーンに含まれる映像データを用いて生成されたサーチ用映像データに基づいて、サーチ用映像を表示するように制御される。この制御では、サーチ用映像データの生成に用いられた映像データに編集処理が施されていると識別された場合、そのサーチ用映像データの生成に用いられた映像データの属するシーンについて、そのサーチ映像データに基づいてサーチ用映像を表示せずに、そのシーンに含まれる編集処理が施されていない映像データにより生成されたサーチ用映像データに基づいてサーチ用映像を表示するように制御される。
【００１６】
【発明の実施の形態】
図１は、後述する本発明を適用した記録再生装置により、磁気テープ１上に形成されるトラックパターンを示している。
【００１７】
この例の場合、テープ幅３．８１ｍｍの磁気テープ１に対して、６４８０rpmで回転する直径２１．７ｍｍの回転ドラム２（図２）の２個のヘッド（図示せず）により、回転ドラム２の一回転につき、トラックTr0およびトラックTr1（以下、個々に区別する必要がない場合、単に、トラックTrと称する）の２本のトラックTrにビデオ信号やオーディオ信号等がそれぞれ記録される。
【００１８】
すなわち、回転ドラム２には、例えば、アジマス角が異なる２つの磁気ヘッドがそれぞれ１８０°離間した位置に設けられている。そして、この２つの磁気ヘッドが磁気テープ１の走行方向（図１の右側から左側に向かう方向）に対して所定の角度（θｒ＝５．０７０３６°）をもって走査して、図１に示すようなトラックパターンが形成される。
【００１９】
図２は、真上から見た、回転ドラム２にテープが巻き付いている状態を表している。
【００２０】
この例の場合、１６８°の範囲で磁気テープ１が回転ドラム２に巻き付けられる。１つの磁気ヘッドがこの１６８°の巻き付け角の範囲を移動したときに記録される信号が、磁気テープ１上における１つのトラックTr（図１）を形成する。
【００２１】
なお、データの記録時には、回転ドラム２が３６０°回転する毎にデータの記録に使用する磁気ヘッドが切り替えられるようになっているので、例えば、回転ドラム２の１回転目に、一方のヘッドによってトラックTr0にデータの記録が行われ、次の１回転時に、アジマス角の異なる他方のヘッドによって次のトラックTr1にデータの記録が行われる。
【００２２】
また、データの再生時には、回転ドラム２の１回転につき、２個のヘッドが常時再生動作を行い、それぞれＲＦを再生する、倍密度再生（所謂ノントラッキング）方式となっている。したがって、同一トラックを２つのヘッドによって少しずらして再生するため、トラックTrの曲がりによる互換性の問題を少なくすることができる。
【００２３】
図３は、トラックTrのデータパターンを示す。トラックTrの前段および後段にはそれぞれ、イレースマージンとして、1260bitのErase margin-inセクタ(Em-in)２１および3078bitのErase margin-outセクタ(Em-out)２２が配置されている。
【００２４】
このように、有効ラップ角の前段及び後段、すなわち、トラックTrのヘッドの出入り口に、イレースマージンセクタとしてEm-in２１およびEm-out２２を設けたのは、記録済みのトラックTrにオーバーライトする場合において、トラックTrの位置ずれにより以前のデータが消えずに残ってしまうことを防止するためである。
【００２５】
トラックTrは、ヘッドの入り口側（図３の左側）から順に、有効なデータが記録される記録エリア１１、有効なデータが記録されない干渉エリア１２、および記録エリア１３から構成されている。
【００２６】
記録エリア１１は、ヘッドの入り口側（先頭方向）（図３の左側）から順に、2053bitのTrack pre-ambleセクタ(Tr-pre)３１、8208bitのアフレコ（After recording）用の音声セクタ(Audio)３２、および756bitのAudio post-ambleセクタ(Audio-post)３３から構成されている。
【００２７】
アフレコ用の音声セクタ(Audio)３２は、変速再生（例えば、サーチ用映像再生）時にＲＦ出力が不安定に成り易いトラックTrのヘッドの入り口側に配置されているが、これは、変速再生時においては音声を出す必要がないので問題はない。
【００２８】
記録エリア１３は、ヘッドの入り口側から順に、297bitのITI pre-ambleセクタ(ITI-pre)４１、1620bitのＩＴＩ（トラック同期情報）セクタ(ITI)４２、映像データと音声データとが混合した186714bitの映像音声混合(Embedded)セクタ(Audio-Video)４３、1620bitのサブコードセクタ(Sub-code)４４、17442bitのサーチデータセクタ(Search)４５、および2649bitのTrack post-ambleセクタ(Tr-post)４６から構成されている。
【００２９】
例えば、サーチデータセクタ(Search)４５は、変速再生（例えば、サーチ用映像再生）時に用いるデータ（例えば、サーチ用の映像データ）が格納されている。
【００３０】
またサブコードセクタ(Sub-code)４４は、磁気テープ１の変速再生時にも読み取ることが必要なため、磁気テープ１の高速走行を行う変速再生時においても回転ドラム２内のエアフィルムが少なく、ＲＦ出力の安定しているヘッドの出口側に配置されている。
【００３１】
すなわち、本フォーマットによれば、高速再生モード時には、サブコードセクタ(sub-code)４４及びサーチデータセクタ(Search)４５が両方とも無理なく再生できると共に、より高速の早送り又は巻き戻し再生モード時には、トラックTrのヘッド出口側の近傍部分のＲＦが劣化しても、再生が必要なサブコードセクタ(Sub-code)４４はより手前に配置されているため、ＲＦ出力の劣化の影響を受け難くなっている。
【００３２】
また、通常再生時において、万一、トラックTrのヘッド出口側の近傍部分のＲＦが劣化しても、その部分に配置されたサーチデータセクタ(search)４５に記録されているサーチデータは使用する必要がないので、映像、音声、タイムコード等の機能には全く支障がない。
【００３３】
さらに、トラックTrのヘッド出口側の近傍にサブコードデータが記録されていないため、本フォーマットにおいては、この部分のＲＦ出力の劣化の影響を受けることが無いので、高速で磁気テープ１を送りながらサブコードデータに基づいて所定の記録場所を探す早送り又は巻き戻し再生モード時には、サブコードデータを読み取れずに、その目的の場所を読み飛ばす等の不具合もなく、また、早送り又は巻き戻し再生モードを、より高速で行うことが可能になる。
【００３４】
また、本フォーマットによれば、干渉エリア１２は、記録エリア１１と記録エリア１３の間に１つだけ設けられているが、それは以下の理由による。
【００３５】
記録エリア１１の音声セクタ(Audio)３２へのアフレコ時の時間軸の基準となるトラック同期情報セクタ(ITI)４２が音声セクタ(Audio)３２の後方側に設けられていることから、前回のヘッドスキャンにおいて得られたタイミングを記憶、積算し、音声セクタ(Audio)３２へのアフレコのタイミングを測ることができるので、トラック同期情報セクタ(ITI)４２および映像音声混合セクタ(Audio-Video)４３間に干渉エリアは不要となる。
【００３６】
また、記録エリア１３のサブコードセクタ(Sub-code)４４をアフレコと対称とせず、当初のデータ記録時におけるタイムコードや付加データを記録すようにしてサーチ時における場所等を読み取る用途とし、後の書き換え時に使用するマーカ等は、例えば、磁気テープ１のカセットに設けられたメモリ等を用いるようにしている。このため、映像音声混合セクタ(Audio-Video)４３とサブコードセクタ(Sub-code)４４間の干渉エリアは不要となる。
【００３７】
図４は、本発明を適用したデジタルビデオテープレコーダに代表される記録再生装置の構成例を示している。なお、図４には、映像信号の記録再生に対応する構成部分のみが示され、例えば、音声信号の記録再生を行う部分の図示は省略されている。
【００３８】
記録部６１は、ベースバンド信号処理部６１−１および符号化部６１−２から構成されている。
【００３９】
記録部６１に供給された、例えば、CCDビデオカメラ（図示せず）による撮像の結果得られる映像信号は、ベースバンド信号処理部６１−１に入力される。
【００４０】
ベースバンド信号処理部６１−１は、入力された映像信号に対して、所定のベースバンド処理を施し、トラックTrの記録エリア１３の映像音声合成セクタ(Audio-Video)４３（図３）に格納されるデータや、サーチデータセクタ(Search)４５に格納されるデータ等を生成し、符号化部６１−２に供給する。
【００４１】
符号化部６１−２は、ベースバンド信号処理部６１−１から供給された信号をMPEG（Moving Picture Experts Group）２規格に準拠して符号化し、その結果得られた映像データを、アンプ６２に供給する。
【００４２】
アンプ６２に供給された映像データは、そこで増幅された後、記録ヘッド６３−１，６３−２を介して磁気テープ１に供給され記録される。
【００４３】
アンプ６５は、再生ヘッド６４−１，６４−２により磁気テープ１から読み出された映像信号を増幅して再生部６６に供給する。
【００４４】
再生部６６は、ベースバンド信号処理部６６−１および復号部６６−２より構成されており、アンプ６５から再生部６６に供給された映像信号は、復号部６６−２に供給される。復号部６６−２は、入力された映像信号を、MPEG２規格に準拠して復号し、その結果得られた映像信号をベースバンド信号処理部６６−１に供給する。
【００４５】
ベースバンド信号処理部６６−１は、通常再生モードのとき、トラックTrの記録エリア１３の映像音声混合セクタ(Audio-Video)４３に格納されているデータの信号に対して、所定のベースバンド処理を施し、その結果得られた信号を、表示部６７に出力して表示させる。
【００４６】
ベースバンド信号処理部６６−１はまた、サーチ再生モードのとき、サーチデータセクタ(Search)４５に格納されているサーチ用映像データの信号に対して所定のベースバンド処理を施し、その結果得られた信号を、表示部６７に出力して表示させる。
【００４７】
システム制御マイコン７０は、ヒューマンインタフェース（Ｉ／Ｆ）マイコン７１から入力される、再生ボタン、記録ボタン、およびフェード機能利用要求ボタン（いずれも図示せず）に対する操作内容に基づいて、記録部６１、再生部６６、およびドライバ６９を制御する。
【００４８】
ドライバ６９は、システム制御マイコン７０の制御に従って回転ドラム２を回転させる。
【００４９】
次に、記録部６１のベースバンド信号処理部６１−１の記録時の動作を、図５のフローチャートを参照して説明する。
【００５０】
ステップＳ１において、記録部６１のベースバンド信号処理部６１−１は、システム制御マイコン７０から、記録開始の指令が入力されたか否かを判定し、その指令が入力されたと判定した場合、ステップＳ２に進み、シーン番号を決定する。
【００５１】
次に、ステップＳ３において、ベースバンド信号処理部６１−１は、システム制御マイコン７０から、フェード機能を利用する指令が入力されたか否かを判定し、入力されたと判定した場合、ステップＳ４に進む。
【００５２】
ステップＳ４において、ベースバンド信号処理部６１−１は、フェード機能利用情報を１とする（フェード機能が利用されていることを意味するものとする）。
【００５３】
次に、ステップＳ５において、ベースバンド信号処理部６１−１は、要求されたフェード機能の内容に応じたフェード画像を生成し、ステップＳ６において、例えば、入力された映像に、生成したフェード画像を合成して、再生用の映像を生成する。
【００５４】
ステップＳ７において、ベースバンド信号処理部６１−１は、ステップＳ２で決定したシーン番号、ステップＳ４で決定したフェード機能利用情報（１）、およびステップＳ６で生成した再生用の映像データを、符号化部６１−２に供給する。
【００５５】
ステップＳ８において、ベースバンド信号処理部６１−１は、システム制御マイコン７０から、フェード機能の利用を終了する指令が入力されたか否かを判定し、入力されていないと判定した場合、すなわち、フェード機能を利用した録画が継続して行われている場合、ステップＳ５に戻り、それ以降の処理を実行する。
【００５６】
一方、ステップＳ８で、フェード機能の利用を終了する指令が入力されたと判定されたとき、ステップＳ３に戻り、それ以降の処理が実行される。
【００５７】
ステップＳ３で、フェード機能を利用する指令が入力されていないと判定されたとき（はじめからフェード機能が利用されていないとき、またははじめは利用したが後にその利用を終了したとき）、ステップＳ９に進み、ベースバンド信号処理部６１−１は、フェード機能利用情報を０に決定する。
【００５８】
次に、ステップＳ１０において、ベースバンド信号処理部６１−１は、入力された映像から、再生用の映像を生成する。
【００５９】
ステップＳ１１において、ベースバンド信号処理部６１−１は、ステップＳ２で決定したシーン番号、ステップＳ９で決定したフェード機能利用情報（０）、およびステップＳ１０で生成した再生用の映像データを、符号化部６１−２に供給する。
【００６０】
次に、ステップＳ１２において、ベースバンド信号処理部６１−１は、録画の停止の指令が入力されたか否かを判定し、その指令が入力されていないと判定した場合、ステップＳ３に戻り、それ以降の処理を実行する。
【００６１】
ステップＳ１２で、録画を停止する指令が入力されたと判定されたとき、ステップＳ１に戻り、それ以降の処理が実行される。
【００６２】
次に、サーチデータセクタ(Search)４５を形成する場合の記録部６１の符号化部６１−２の動作を、図６のフローチャートを参照して説明する。
【００６３】
ステップＳ２１において、符号化部６１−２は、ベースバンド信号処理部６１−１から、再生用の映像データが供給されるまで待機し、供給されたとき（図５のステップＳ７またはステップＳ１１）、ステップＳ２２に進む。
【００６４】
ステップＳ２２において、符号化部６１−２は、ベースバンド信号処理部６１−１から供給された再生用の映像データの、例えば、最初のＩピクチャからサーチ用の映像データを生成する。
【００６５】
次に、ステップＳ２３において、符号化部６１−２は、ベースバンド信号処理部６１−１から供給されたシーン番号およびフェード機能利用情報（図５のステップＳ７またはステップＳ１１）、並びにステップＳ２２で生成したサーチ用の映像データを符号化して、サーチデータセクタ４５に格納されるようにアンプ６２に出力する。
【００６６】
ステップＳ２４において、符号化部６１−２は、ベースバンド信号処理部６１−１から、再生用の映像データが供給されているか否かを判定し、供給されていると判定した場合、ステップＳ２５に進む。
【００６７】
ステップＳ２５において、符号化部６１−２は、ベースバンド信号処理部６１−１から、ステップＳ２２でサーチ用映像データを生成するために利用された再生用の映像データから数えて、所定量の映像データが供給されたか否かを判定し、供給されていないと判定した場合、ステップＳ２４に戻り、それ以降の処理を実行する。
【００６８】
ステップＳ２５で、所定量分の映像データが入力されたと判定された場合、処理は、ステップＳ２２に戻る。すなわち、この例の場合、所定量分の再生用の映像毎に１つのサーチ用映像が生成される。
【００６９】
ステップＳ２４で、ベースバンド信号処理部６１−１から再生用の映像データが供給されていないと判定された場合、処理は終了する。
【００７０】
図７は、図６のステップＳ２３の処理で形成されたサーチデータセクタ(Search)４５の一部を示している。
【００７１】
図７のサーチデータセクタ(Search)４５には、シーン番号１のサーチ用の映像１−１，１−２、シーン番号２のサーチ用の映像２−１，２−２、およびシーン番号３のサーチ用の映像３−１，３−２，３−３が格納されている。
【００７２】
サーチ用の映像１−１，１−２のそれぞれには、０のフェード機能利用情報が対応して設定されている。サーチ用の映像２−１，２−２のそれぞれには、０のフェード機能利用情報が対応して設定されている。すなわち、シーン番号１およびシーン番号２の再生用の映像は、フェード機能が利用されずに録画されたものである。
【００７３】
サーチ用の映像３−１には、１のフェード機能利用情報が設定され、サーチ用の映像３−２，３−３のそれぞれには、０のフェード機能利用情報が設定されている。すなわち、シーン番号３の再生用の映像は、はじめの部分についてはフェード機能が利用されて録画されている。
【００７４】
次に、サーチ用映像を表示させる場合の再生部６６のベースバンド信号処理部６６−１の動作を、図８のフローチャートを参照して説明する。
【００７５】
ステップＳ３１において、ベースバンド信号処理部６６−１は、例えば、図９に示すような、小画面Ｂ（この場合、１２個の小画面Ｂ−１乃至Ｂ−１２）が設けられた表示画面Ａを表示部６７に表示させる。
【００７６】
次に、ステップＳ３２において、ベースバンド信号処理部６６−１は、復号部６６−２から供給されたサーチデータセクタ(Search)４５（例えば、図７）から、それぞれ対応する１つのシーン番号、フェード機能利用情報、およびサーチ用の映像データを読み取る。
【００７７】
ステップＳ３３において、ベースバンド信号処理部６６−１は、ステップＳ３２で読み取ったフェード機能利用情報が０であるか否かを判定し、０であると判定した場合、ステップＳ３４に進む。
【００７８】
ステップＳ３４において、ベースバンド信号処理部６６−１は、ステップＳ３２で読み取ったシーン番号を、後述するステップＳ３５で記憶された、前回行われたステップＳ３２の処理で読み取られたシーン番号とを比較し、シーン番号が変更されたか否かを判定する。
【００７９】
ステップＳ３４で、シーン番号が変更されたと判定された場合、ステップＳ３５に進み、ベースバンド信号処理部６６−１は、ステップＳ３２で読み取ったシーン番号を、前回のステップＳ３５で記憶したシーン番号に代えて記憶する（上書きする）。なお、ベースバンド信号処理部６６−１は、はじめは、所定の初期値をシーン番号として記憶している。
【００８０】
次に、ステップＳ３６において、ベースバンド信号処理部６６−１は、ステップＳ３２で読み取ったサーチ用の映像データを、表示部６７に供給して所定の小画面Ｂに表示させる。
【００８１】
ステップＳ３７において、ベースバンド信号処理部６６−１は、サーチデータセクタ(Search)４５から、すべてのシーン番号、フェード機能利用情報、およびサーチ用の映像データを読み取ったか否かを判定し、すべてを読み取っていないと判定した場合、ステップＳ３８に進む。
【００８２】
ステップＳ３８において、ベースバンド信号処理部６６−１は、小画面Ｂ−２乃至小画面Ｂ−１１のすべてにサーチ用の映像が表示されたか否かを判定し、すべてに表示されたと判定した場合、ステップＳ３９に進み、いま小画面Ｂ−２乃至Ｂ−１１に表示されているすべてのサーチ用の映像を消去する。
【００８３】
ステップＳ３８で、小画面Ｂ−２乃至Ｂ―１１のすべてにサーチ用の映像が表示されていないと判定された場合、またはステップＳ３９で、表示されていたサーチ用の映像がすべて消去されたとき、処理は、ステップＳ３２に戻り、次のシーン番号、フェード機能利用情報、およびサーチ用の映像データに対して、それ以降の処理が同様に実行される。
【００８４】
ステップＳ３３で、フェード機能利用情報が０ではないと判定されたとき（１のとき）、またはステップＳ３４で、シーン番号が変更されていないと判定されたときも、ステップＳ３２に戻り、それ以降の処理が実行される。すなわち、１のフェード機能利用情報に対応するサーチ用の映像（フェード機能が利用されて録画された場合のサーチ用の映像で、真っ白または真っ黒な映像である可能性がある映像）は表示されない。また２回目以降に読み取られた同一のシーン番号のサーチ用の映像は表示されない（同一シーン番号の映像については、１つのサーチ用の映像のみが表示される）。
【００８５】
ステップＳ３７で、サーチデータセクタ４５(Search)から、すべてのデータが読み取られたと判定された場合、処理は終了する。
【００８６】
図７のサーチデータセクタ(Search)４５を例として、上述したサーチ用映像表示処理を再度説明する。
【００８７】
ステップＳ３１で、図９の表示画面Ａが表示された後、ステップＳ３２で図７のサーチデータセクタ(Search)４５の、シーン番号１、０のフェード機能利用情報、およびサーチ用映像１−１が読み取られ、フェード機能利用情報が、０であるので（ステップＳ３３）、ステップＳ３４に進む。
【００８８】
シーン番号１とシーン番号としてベースバンド信号処理部６６−１が予め記憶している初期値とは異なるので、シーン番号が変更されたと判定され（ステップＳ３４）、ステップＳ３５に進み、シーン番号１が記憶される。
【００８９】
その後、サーチ用映像１−１が、例えば、図１０に示すように、表示画面Ａの小画面Ｂ−２に表示される。
【００９０】
次に処理は、ステップＳ３７およびステップＳ３８を介してステップＳ３２に戻り、シーン番号１、０のフェード機能利用情報、およびサーチ用映像１−２が読み取られる。この場合、ステップＳ３３で、ＹＥＳの判定がなされるが、シーン番号の変更がないので、ステップＳ３４で、ＮＯの判定がなされ、ステップＳ３２に戻る。すなわち、ステップＳ３５乃至ステップＳ３７の処理がスキップされるので、サーチ用映像１−２は、表示されない。
【００９１】
次に、シーン番号２、０のフェード機能利用情報、およびサーチ用映像２−１が読み取られ、ステップＳ３３を介して、ステップＳ３４に進む。ステップＳ３４では、シーン番号２であり、それは、先のステップＳ３５で記憶されたシーン番号１とは異なるので、ＹＥＳの判定がなされ、ステップＳ３５でシーン番号２が記憶される。そしてステップＳ３６において、サーチ用映像２−１が、図１０に示すように、小画面Ｂ−３に表示される。
【００９２】
次に読み出されるシーン番号２、０のフェード機能利用情報、およびサーチ用映像２−２についての説明を省略し、続けて読み出されるシーン番号３、１のフェード機能利用情報、およびサーチ用映像３−１が読み出された場合について説明すると、この場合、ステップＳ３３で、ＮＯの判定がなされる。すなわち、ステップＳ３４乃至ステップＳ３７の処理がスキップされるので、図１０に示すように、真っ白または真っ黒な映像である可能性があるサーチ用映像３−１は表示されず、次に読み出されたサーチ用映像３−２が、小画面Ｂ−４に表示される。
【００９３】
このように、サーチ用の映像が表示される。すなわち、フェード機能が利用されて録画された場合のサーチ用の映像（サーチ用の映像３−１）に代えてサーチ用の映像（サーチ用の映像３−２）を表示するようにしたので、ユーザは、サーチ用の映像３−２から再生用の映像の内容を把握することができる。
【００９４】
図１１は、従来の方法で表示されたサーチ用の映像を示しているが、この場合、フェード機能が利用された場合のサーチ用の映像３−１（真っ白または真っ黒な映像）が表示されるので、ユーザが再生用の映像の内容を把握することができない。
【００９５】
なお、図１０の小画面Ｂ−５乃至Ｂ−１２には、図７において図示せぬサーチ用映像Ａ乃至Ｈ（サーチ用映像３−３に続いて格納されている映像）が表示されている。また、小画面Ｂ−１には、小画面Ｂ−２乃至Ｂ−１２にサーチ用映像（静止画）を表示する過程で、サーチ用映像の動画または変速再生画が表示される。
【００９６】
次に、サーチデータセクタ(Search)４５を形成する場合の記録部６１の符号化部６１−２の他の動作を、図１２のフローチャートを参照して説明する。
【００９７】
ステップＳ４１において、符号化部６１−２は、ベースバンド信号処理部６１−１から、再生用の映像データが供給されるまで待機し、供給されたとき（図５のステップＳ７またはステップＳ１１）、ステップＳ４２に進む。
【００９８】
ステップＳ４２において、符号化部６１−２は、ベースバンド信号処理部６１−１から供給されたフェード機能利用情報が０であるか否かを判定し、０であると判定した場合、ステップＳ４３に進み、ベースバンド信号処理部６１−１から供給された再生用の映像データの、例えば、最初のＩピクチャからサーチ用の映像データを生成する。ステップＳ４２で、フェード機能利用情報が０ではないと判定された場合（１のとき）、ステップＳ４１に戻り、それ以降の処理が実行される。すなわち、このとき、サーチ用の映像が生成されないので、この例の場合、フェード機能が利用されていない場合においてのみ、サーチ用の映像が生成される。
【００９９】
次に、ステップＳ４４において、符号化部６１−２は、ベースバンド信号処理部６１−１から供給されたシーン番号、並びにステップＳ４３で生成したサーチ用の映像データを符号化し、サーチデータセクタ(Search)４５に格納されるようにアンプ６２に供給する。
【０１００】
ステップＳ４５において、符号化部６１−２は、ベースバンド信号処理部６１−１から、再生用の映像データが供給されているか否かを判定し、供給されていると判定した場合、ステップＳ４６に進む。
【０１０１】
ステップＳ４６において、符号化部６１−２は、ベースバンド信号処理部６１−１から、ステップＳ４３でサーチ用映像データを生成するために利用された再生用の映像データから数えて、所定量の映像データが供給されたか否かを判定し、供給されていないと判定した場合、ステップＳ４５に戻り、それ以降の処理を実行する。
【０１０２】
ステップＳ４６で、所定量分の映像データが入力されたと判定された場合、処理は、ステップＳ４２に戻り、それ以降の処理が行われる。
【０１０３】
ステップＳ４５で、ベースバンド信号処理部６１−１から再生用の映像データが供給されていないと判定された場合、処理は終了する。
【０１０４】
図１３は、図１２のフローチャートに示した処理により生成されたサーチデータセクタ(Search)４５の一部を示している。
【０１０５】
すなわちこの例の場合、サーチデータセクタ(Search)４５には、フェード機能利用情報が設定されず、またはフェード機能利用情報が１であるサーチ用映像データ３−１が格納されていない。
【０１０６】
次に、図１３のサーチデータセクタ(Search)４５を利用してサーチ用映像を表示させる場合の再生部６６のベースバンド信号処理部６６−１の動作を、図１４のフローチャートを参照して説明する。
【０１０７】
ステップＳ５１において、ベースバンド信号処理部６６−１は、例えば、図９に示すような表示画面Ａを表示部６７に表示させる。
【０１０８】
次に、ステップＳ５２において、ベースバンド信号処理部６６−１は、復号部６６−２から供給されたサーチデータセクタ(Search)４５から、それぞれ対応する１つのシーン番号およびサーチ用映像データを読み取る。
【０１０９】
ステップＳ５３において、ベースバンド信号処理部６６−１は、ステップＳ５２で読み取ったシーン番号と、後述するステップＳ５４で記憶された、前回のステップＳ５２の処理で読み取られたシーン番号とを比較し、シーン番号が変更されたか否かを判定する。
【０１１０】
ステップＳ５３で、シーン番号が変更されたと判定された場合、ステップＳ５４に進み、ベースバンド信号処理部６６−１は、ステップＳ５２で読み取ったシーン番号を、前回のステップＳ５３の処理で記憶したシーン番号に代えて記憶する。なお、ベースバンド信号処理部６６−１は、はじめは、所定の初期値をシーン番号として記憶している。
【０１１１】
ステップＳ５５乃至ステップＳ５８においては、図８のステップＳ３６乃至ステップＳ３９における場合と同様の処理が行われるので、その説明を省略する。
【０１１２】
上述した一連の処理は、ハードウエアにより実現させることもできるが、ソフトウエアにより実現させることもできる。一連の処理をソフトウエアにより実現する場合には、そのソフトウエアを構成するプログラムがコンピュータにインストールされ、そのプログラムがコンピュータで実行されることより、上述した記録再生装置が機能的に実現される。
【０１１３】
図１５は、上述のような記録再生装置として機能するコンピュータ１０１の一実施の形態の構成を示すブロック図である。CPU（Central Processing Unit）１１１にはバス１１５を介して入出力インタフェース１１６が接続されており、CPU１１１は、入出力インタフェース１１６を介して、ユーザから、キーボード、マウスなどよりなる入力部１１８から指令が入力されると、例えば、ROM（Read Only Memory）１１２、ハードディスク１１４、またはドライブ１２０に装着される磁気ディスク１３１、光ディスク１３２、光磁気ディスク１３３、若しくは半導体メモリ１３４などの記録媒体に格納されているプログラムを、RAM（Random Access Memory）１１３にロードして実行する。これにより、上述した各種の処理が行われる。さらに、CPU１１１は、その処理結果を、例えば、入出力インタフェース１１６を介して、LCD（Liquid Crystal Display）などよりなる出力部１１７に必要に応じて出力する。なお、プログラムは、ハードディスク１１４やROM１１２に予め記憶しておき、コンピュータ１０１と一体的にユーザに提供したり、磁気ディスク１３１、光ディスク１３２、光磁気ディスク１３３，半導体メモリ１３４等のパッケージメディアとして提供したり、衛星、ネットワーク等から通信部１１９を介してハードディスク１１４に提供することができる。
【０１１４】
なお、本明細書において、記録媒体により提供されるプログラムを記述するステップは、記載された順序に沿って時系列的に行われる処理はもちろん、必ずしも時系列的に処理されなくとも、並列的あるいは個別に実行される処理をも含むものである。
【０１１５】
【発明の効果】
以上のように、本発明によれば、入力映像および効果映像から生成された再生用映像から生成されたサーチ用映像の表示を禁止することができる。
【図面の簡単な説明】
【図１】磁気テープに形成されるトラックパターンを示す図である。
【図２】図２は、回転ドラムにテープが巻き付けられている様子を示す図である。
【図３】トラックのデータ構成を示す図である。
【図４】本発明を適用した記録再生装置の構成例を示すブロック図である。
【図５】図４の記録部のベースバンド信号処理部の動作を説明するフローチャートである。
【図６】サーチデータセクタ形成処理を説明するフローチャートである。
【図７】サーチデータセクタの内容を示す図である。
【図８】サーチ用映像表示処理の手順を示すフローチャートである。
【図９】表示画面の例を示す図である。
【図１０】表示画面の他の例を示す図である。
【図１１】従来の記録再生装置における表示例を示す図である。
【図１２】他のサーチデータセクタ形成処理を説明するフローチャートである。
【図１３】他のサーチデータセクタの内容を示す図である。
【図１４】サーチ用映像表示処理の他の手順を示すフローチャートである。
【図１５】コンピュータ１０１の構成例を示すブロック図である。
【符号の説明】
６１  記録部，  ６１−１  ベースバンド信号処理部，  ６１−２  符号化部，  ６２  アンプ，  ６３  磁気ヘッド，  ６４  磁気ヘッド，  ６５  アンプ，  ６６  再生部，  ６６−１  ベースバンド信号処理部，  ６６−２  復号部，  ６７  表示部，  ６９  ドライバ，  ７０  システム制御マイコン，  ７１ヒューマンＩ／Ｆマイコン
【図１】
0004186097.tif 000002
【図２】
0004186097.tif 000003
【図３】
0004186097.tif 000004
【図４】
0004186097.tif 000005
【図５】
0004186097.tif 000006
【図６】
0004186097.tif 000007
【図７】
0004186097.tif 000008
【図８】
0004186097.tif 000009
【図９】
0004186097.tif 000010
【図１０】
0004186097.tif 000011
【図１１】
0004186097.tif 000012
【図１２】
0004186097.tif 000013
【図１３】
0004186097.tif 000014
【図１４】
0004186097.tif 000015
【図１５】
0004186097.tif 000016